【手続補正書】
【提出日】令和2年2月26日(2020.2.26)
【手続補正１】
【補正対象書類名】明細書
【補正対象項目名】００７１
【補正方法】変更
【補正の内容】
【００７１】
図４〜図８に示すように、梁要素１３０の外面は概して円筒形であってよく、雄ねじ付きのまたはパターン化された係合トラック１３１および整列溝またはスロット１３３を含んでもよい。雄ねじ付き係合トラック１３１および／または整列溝１３３は、梁要素１３０の全長にわたって、または梁要素１３０の長さに沿って部分的に、梁要素１３０の外面の軸方向長さに沿って延伸することができる。図４〜図８に示すように、係合トラック１３１は、梁要素１３０内にくぼむまたは凹んでいてもよい。このようにして、トラック１３１は、梁要素１３０へとまたはその中に半径方向に延伸する溝を形成することができる。係合トラック１３１は、梁要素１３０の外面の一部分を形成することができる。いくつかの実施形態では、図４〜図８に示すように、係合トラック１３１は、半径によって画定される溝であってもよい。図４〜図８に示すように、トラック１３１は、トラック１３１の軸方向長さに沿って延伸する雄ねじ（または、視点に応じて雌ねじ）を含むことができる。以下でさらに説明するように、係合トラック１３１のねじ山は、駆動可能クランプアセンブリ１１０の駆動部材のねじ山と噛み合って、駆動可能クランプアセンブリ１１０が、駆動部材によって梁要素１３０の長さに沿って軸方向に並進または駆動されることを可能にすることができる。このように、係合トラック１３１のねじ山と駆動可能クランプアセンブリ１１０の駆動部材のねじ山のピッチは、適合するピッチおよび／または他の構成を有することができる。いくつかの実施形態では、係合トラック１３１は、梁要素１３０へと延伸する半球状のねじ溝であってもよい。このような半径方向または半球状の溝付きねじ係合トラック１３１は、相対的に容易に機械加工され得ることに留意されたい。例えば、半球状の溝付きねじ係合トラック１３１は、例えば標準６０スレッドまたは台形ねじなどとは対照的に、相対的に長い部分孔をねじ切りすることに伴う困難を緩和するボールエンドミルを介して機械加工することができる。
【手続補正２】
【補正対象書類名】明細書
【補正対象項目名】００７３
【補正方法】変更
【補正の内容】
【００７３】
いくつかの実施形態では、梁要素１３０は、図４〜図８に示すように、梁要素１３０の整列溝１３３と係合トラック１３１部分との間に延伸する中間外面部分１３４を含むことができる。いくつかの実施形態では、梁要素１３０の整列溝１３３および係合トラック１３１部分は、梁要素１３０の軸の周りで互いに実質的に対向し、それにより、２つの実質的に同様の中間外面部分１３４がそれらの間に延伸することができる。他の実施形態では、梁要素１３０の整列溝１３３および係合トラック１３１部分は、梁要素１３０の軸の周りでオフセットされてもよい。図４〜図８に示すように、中間外面部分１３４は、実質的に滑らかな表面（例えば、ねじ切りされていない表面）であってもよく、湾曲または弓形であってもよい。いくつかの実施形態では、中間外面部分１３４は、梁要素１３０の軸の周りに（例えば、単一の半径によって画定される凸面）および／または梁要素１３０の軸方向長さに沿って延伸する円筒面部分であってもよい。
【手続補正３】
【補正対象書類名】明細書
【補正対象項目名】００７４
【補正方法】変更
【補正の内容】
【００７４】
図９〜図１９を参照すると、駆動可能または移動クランプアセンブリ１１０は、梁要素１３０の軸方向の長さに沿って（および梁要素１３０の外面上に）選択的に並進し、１つまたは複数の固定部材１１５に取り外し可能に結合または固定するように構成することができる。図９〜図１９に示すように、駆動可能クランプアセンブリ１１０は、梁要素１３０を受け入れ、これが軸方向に貫通して延伸することを可能にするように構成された貫通して延伸する中心孔を有する主ハウジング１０１を含むことができる。このようにして、駆動可能クランプアセンブリ１１０が梁要素１３０に結合されると、ハウジング１０１の中心孔の軸とハウジング１０１の軸とが整列され得る。ハウジング１０１の中心孔の内面は、梁要素１３０がそこを通って延伸するとき、梁要素１３０の中間外面１３４と嵌合するように構成することができる。このようにして、梁要素１３０は、ハウジング１０１によってしっかりと支持または保持されて、相対的に安定した構造を形成することができる。しかし、ハウジング１０１の中心孔の内面および梁要素１３０の中間外面１３４は、駆動可能クランプアセンブリ１１０が主孔を通って梁要素１３０の周りでスライド可能に係合されることを可能にするように構成することができる。
【手続補正４】
【補正対象書類名】明細書
【補正対象項目名】００７７
【補正方法】変更
【補正の内容】
【００７７】
駆動可能クランプアセンブリ１１０の解放ハウジング１０９は、図９および図１２〜図１９にも示されているように、解放ハウジング１０９がハウジング１０１の開口内で回転し、それによって、ハウジング１０１の中心孔を出入りして枢動することを可能にする、ハウジング１０１を貫通して延伸する少なくとも１つのダウエルピン１２１または他の機構を使用することによって、ハウジング１０１の開口内に保持または拘束することができる。少なくとも１つのダウエルピン１２１などを中心とした、ハウジング１０１の開口内での解放ハウジング１０９の回転は、ハウジング１０１の構成によって制限することができ、または他の様態で制限することができる。例えば、ハウジング１０１の開口内の解放ハウジング１０９の回転は、それが存在するハウジング１０１の開口内のスロット面との干渉によって制限することができる。ハウジング１０１内での解放ハウジング１０９の回転をそのように制限することによって、駆動部材１０７がハウジング１０１内に保持されることを確実にすることができる。
【手続補正５】
【補正対象書類名】明細書
【補正対象項目名】００７８
【補正方法】変更
【補正の内容】
【００７８】
図９および図１１〜図１９に示すように、ハウジング１０１内の解放ハウジング１０９の位置は、例えば、１つまたは複数の制御ピン１１４およびばね１１２によって制御することができる。少なくとも１つの制御ピン１１４およびばね１１２は、図９および図１１〜図１９に示すように、解放ハウジング１０９の回転軸の周りに存在するか、または回転軸からオフセットされた（例えば、ダウエルピン１２１からオフセットされた）解放ハウジング１０９および／またはハウジング１０１のオフセット孔内に存在することができる。少なくとも１つのばね１１２は、解放ハウジング１０９内のオフセット孔内に存在してもよく、少なくとも１つの制御ピン１１４に軸方向外向きの圧力を加えて、少なくとも１つの制御ピン１１４を部分的に解放ハウジング１０９内のオフセット孔内に、および、部分的にハウジング１０１内のオフセット孔内に位置決めすることができ、したがって、図１８に示されるように、解放ハウジング１０９が、部分的に中心孔内に位置決めされ、梁要素１３０の係合トラック１３１と接触または係合する駆動部材１０７との係合位置（すなわち、駆動可能クランプアセンブリ１１０の係合状態）に保持される。駆動可能クランプアセンブリ１１０の係合状態において、少なくとも１つの制御ピン１１４は、解放ハウジング１０９とハウジング１０１のオフセット孔の両方内に延伸することによって、解放ハウジング１０９および駆動部材１０７を係合位置に保持することができる。係合位置において、駆動部材１０７の回転軸を中心とした回転は、それによって、駆動部材１０７と係合トラック１３１との螺合（および、駆動部材１０７が軸方向においてハウジング１０１内に捕捉されること）に起因して、駆動可能クランプアセンブリ１１０を梁要素１３０の軸方向長さに沿って並進させる。したがって、駆動部材１０７と係合トラック１３１との螺合は、駆動部材１０７の回転軸を中心とした回転を介して、駆動可能クランプアセンブリ１１０を梁要素１３０に沿って軸方向に相対的に細かく調整することを可能にする。さらに、係合状態または位置における駆動部材１０７と係合トラック１３１との螺合はまた、駆動部材１０７がその回転軸を中心に軸方向に回転していないときに、駆動可能クランプアセンブリ１１０を梁要素１３０の軸に沿って固定することもできる。
【手続補正６】
【補正対象書類名】明細書
【補正対象項目名】００７９
【補正方法】変更
【補正の内容】
【００７９】
駆動可能クランプアセンブリ１１０は、駆動部材１０７が少なくとも部分的に中心孔内から外され、梁要素１３０の係合トラック１３１との接触または係合から外れることによって（すなわち、駆動可能クランプアセンブリ１１０の係合解除状態）、係合状態から係合解除状態に選択的に移動されるように構成することができる。駆動可能クランプアセンブリ１１０の係合解除状態は、少なくとも１つの制御ピン１１４をハウジング１０１のオフセット孔から外方に、例えば解放ハウジング１０９内に完全に移動させることによって達成され得る。図９および図１１〜図１９に示すように、いくつかの実施形態では、駆動可能クランプアセンブリ１１０は、ハウジング１０１のオフセット孔内に延伸する少なくとも１つの解放ピン１１４を含むことができる。図９および図１１〜図１９に示すように、（例えば、より厚い部分と薄い部分との間の）少なくとも１つの解放ピン１１４の段差、および、ハウジング１０１内のスロットまたはアンダーカット内に位置決めされる少なくとも１つの対応する保持部材またはワッシャ１１１によって、少なくとも１つの解放ピン１１４をハウジング１０１のオフセット孔内に保持することができる。少なくとも１つの解放ピン１１４は、少なくとも１つの解放ピン１１４がツールなどによってハウジング１０１のオフセット孔内でさらに（例えば完全に）並進されると、少なくとも１つの解放ピン１１４が少なくとも１つの制御ピン１１４に作用して、少なくとも１つの制御ピン１１４を、ハウジング１０１のオフセット孔から外方に（例えば、解放ハウジング１０９のオフセットバーへと完全に）押すか、または並進させるように構成することができる。少なくとも１つの制御ピン１１４がハウジング１０１のオフセット孔から取り外されると、解放ハウジング１０９は、少なくとも１つのピン１２１を中心としてなど、その回転軸を中心として自由に回転することができる。このように、少なくとも１つの制御ピン１１４がハウジング１０１のオフセット孔から取り外されることによって、解放ハウジング１０９は、ハウジング１０１の中心孔から外方に少なくとも部分的に回転することができ、それによって駆動部材１０７も、図１９に示されるように、ハウジング１０１の中心孔内で並進し、梁要素１３０の係合トラック１３１との係合から外れることが可能になる。駆動部材１０７および係合トラック１３１が離間しているかまたは係合から外れているとき（例えば、螺合から外れているとき）、駆動可能クランプアセンブリ１１０は、梁要素１３０に沿って制限なく軸方向に自由に並進することができ、それによって、駆動可能クランプアセンブリ１１０を梁要素１３０に沿って軸方向に全体的に調整すること、および／または、駆動可能クランプアセンブリ１１０を梁要素１３０上に設置することが可能になる。
【手続補正７】
【補正対象書類名】明細書
【補正対象項目名】００８５
【補正方法】変更
【補正の内容】
【００８５】
図９〜図１９に示すように、結合ねじ１０３は、サドル１０２がハウジング１０１の上面上に位置決めされ、クランプベース部材１０４の底面がサドル１０２の上面上に位置決めされ、上部クランプ部材１０５がクランプベース部材１０４の上側スロット内に位置決めされるときに、上部クランプ部材１０５を越えて延伸するねじ部分を有して構成され得る。このようにして、結合ねじ１０３は、ハウジング部材の上部スロット内から、サドル１０２、クランプベース部材１０４および上部クランプ部材１０５のベアリング開口を通って延伸することができ、ねじ部分が上部クランプ部材１０５を越えて延伸する。図９〜図１９に示すように、駆動可能クランプアセンブリ１１０は、結合ねじ１０３のヘッドとハウジング１０１の上側スロットとの間、サドル１０２とクランプベース部材１０４との間、および上部クランプ部材１０５とクランプベース部材１０４との間にクランプ力または圧縮力を加えるための位置決め係止およびクランプ力を提供するために、結合ねじ１０３に螺合するロックナット１０６を含むことができる。図１２および図１７に示すように、駆動可能クランプアセンブリ１１０は、クランプベース１０４の底面およびサドル１０２の上面の表面粗さに暫定的に係合し、がたつき防止対策を提供するように、クランプトップ１０５とクランプベース１０４との間の空間に配置されたばね１１６を含むことができる。
【手続補正８】
【補正対象書類名】明細書
【補正対象項目名】００８７
【補正方法】変更
【補正の内容】
【００８７】
図２６〜図２８は、係合状態にある（すなわち、駆動部材１０７が係合トラック１３１に係合している（螺合している））ときに、駆動可能クランプアセンブリ１１０を、駆動部材１４０を介して梁要素１３０の軸に沿って軸方向に並進または駆動する例示的な実施形態を示す。図２６〜図２８に示すように、駆動可能固定アセンブリ１１０は、梁要素１３０がハウジング１０１の中心孔を通過するように梁要素１３０に結合することができる。駆動可能クランプアセンブリ１１０の整列部材１０８はまた、図２６〜図２８に示すように、駆動部材１０７が係合トラック１３１と整列して係合される（螺合される）ように、駆動可能クランプアセンブリ１１０を梁要素１３０の軸の周りに整列させる。図２６〜図２８に示すように、駆動可能クランプアセンブリ１１０が梁要素１３０の軸を中心として整列または配向されることによって、駆動部材１０７は、共通の駆動軸または駆動部材１０７の回転軸に沿って整列することができる。
【手続補正９】
【補正対象書類名】明細書
【補正対象項目名】００９６
【補正方法】変更
【補正の内容】
【００９６】
図３７〜図４４は、図１〜図８の梁要素１３０のような梁要素の軸方向端部に結合するように構成された別の回転可能な端部クランプアセンブリ３２０を示す。図３７〜図４４の回転可能な端部クランプアセンブリ３２０は、図１〜図３および図２０〜図２８の回転可能な端部クランプアセンブリ１２０と実質的に同様であり、したがって同様の特徴または態様を示すために、数字「３」を先頭にした同様の参照番号が使用され、図１〜図３および図２０〜図２８の回転可能な端部クランプアセンブリ１２０に関する記述は、図３７〜図４４の回転可能な端部クランプアセンブリ３２０に等しく適用され、簡潔にするためにここでは繰り返さない。図３７〜図４４に示すように、回転可能な端部クランプアセンブリ３２０は、ハウジング３０１の中心孔内にクランプガイド３５２およびクランプねじ３５４を含むという点において、図１〜図３および図２０〜図２８の回転可能な端部クランプアセンブリ１２０と異なる。
【手続補正１０】
【補正対象書類名】明細書
【補正対象項目名】００９７
【補正方法】変更
【補正の内容】
【００９７】
図３７〜図４４に示すように、回転可能な端部クランプアセンブリ３２０は、ハウジング３０１の中心孔内に固定されたクランプガイド３５２を含むことができる。図３７〜図４４に示すように、クランプガイド３５２は、概して円筒形であってもよく、中心孔のような孔または開口であってもよい。いくつかの実施形態では、図４１に示すように、クランプガイド３５２内またはクランプガイド３５２を通じて延伸する開口は、ハウジング３０１の中心孔の軸に整列しもしくは同軸であってもよく、または平行で、ただしオフセットされてもよい。図３７〜図４４に示すように、クランプガイド３５２は、平らな溝を含むか、または他の様態で、上記で説明したように、ハウジング３０１の開口を通って梁要素の端部の端部開口に延伸するキャップねじ３２２上に延伸するように構成されてもよい。クランプガイド３５２は、その中の半径方向の動きが防止されるか、または少なくとも最小化されるように、ハウジング３０１の中心孔内に固定されてもよい。ハウジング３０１の中心孔内からのクランプガイド３５２の軸方向並進は、キャップねじ３２２のヘッドに当接する段差部分、クランプガイド３５２が中心孔の軸方向端部の開口より大きいこと、クランプねじ３５４がクランプガイド３５２に結合され、中心孔の軸方向端部の開口よりわずかに大きいこと、および／または、回転防止部材３２３がクランプガイド３５２の孔の開口内に延伸することによって防止することができる（図４１および図４２参照）。同様に、ハウジング３０１の中心孔内のクランプガイド３５２の回転並進は、クランプガイド３５２の底面の平坦部がキャップねじ３２２に当接すること、クランプガイド３５２およびハウジング３０１の中心孔の合わせ面の形状、および／または、回転防止部材３２３がクランプガイド３５２の孔の開口内に延伸することによって防止することができる（図４１および図４２参照）。
【手続補正１１】
【補正対象書類名】図面
【補正対象項目名】図１３
【補正方法】変更
【補正の内容】
【図１３】
2019508144.tif 000001